(57)【特許請求の範囲】
【請求項１】
建物に複数の警戒区域を監視する複数の火災感知器が設けられ、前記建物の平面並びに各種の防災表示を行う画像表示装置と、
画像表示装置の画面上に設けられたグラフィックエリア及びキープラン表示部とを備えた防災表示装置において、
キープラン表示部には建物の所定の階の平面図の全体を表示させ、グラフィックエリアにはキープラン表示部に表示させた当該階の平面図の全体または一部を拡大表示させると共に、該グラフィックエリアに拡大表示させた平面図の中心位置をキープラン表示部の平面図上に表示させる表示制御手段を備え、
前記表示制御手段は、前記火災感知器が火災を感知したときに、前記グラフィックエリア及び前記キープラン表示部に火災階の平面図を表示させ、前記グラフィックエリアに前記火災を感知した火災感知器または前記火災を感知した火災感知器が監視する警戒区域で火災が感知したことを示すシンボルを中心に表示させると共に、前記キープラン表示部の前記シンボルの位置にシンボルを表示させ、
また、前記表示制御手段は、前記グラフィックエリアに前記シンボルを中心に表示させているときに、火災階において前記グラフィックエリアの表示範囲外で別の火災感知器が火災を感知すると、前記グラフィックエリアに前記別の火災感知器がどの方向にあるかを示す矢印を表示させ、前記キープラン表示部に前記別の火災感知器または前記別の火災感知器が監視する警戒区域で火災を感知したことを示す別のシンボルを表示させるように制御し、
さらに、前記表示制御手段は、前記グラフィックエリアに表示された矢印に対して入力操作すると、前記グラフィックエリアに前記別のシンボルを中心に表示させるように制御する
ことを特徴とする防災表示装置。
【請求項２】
前記画像表示装置の画面上に直上階釦及び直下階釦を設け、前記表示制御手段は、前記グラフィックエリアに前記シンボルを中心に表示させているときに、前記直上階釦又は直下階釦を操作すると予め設定されている延焼危険順位の高い場所順に延焼危険性の有無を確認して、最も延焼危険性の高い場所を中心に火災階の直上階又は直下階を前記グラフィックエリアに表示させるように制御することを特徴とする請求項１記載の防災表示装置。
【請求項３】
前記画像表示制御手段は、予め設定された前記延焼危険順位の最大設定数の前記延焼危険順位の高い場所全てに延焼危険性がないとき、前記シンボルの位置を中心に前記火災階の直上階又は直下階を前記グラフィックエリアに表示させるよう制御することを特徴とする請求項２記載の防災表示装置。
【発明の詳細な説明】
【０００１】
【発明の属する技術分野】
本発明は火災信号等の防災情報を受けてＣＲＴ等の画像表示装置上に防災シンボルを表示する防災表示装置に関する。
【０００２】
【従来の技術】
従来よりこの種の防災表示装置は、ＣＲＴ等の画像表示装置上に建物内の平面図等を表示し、防災受信機等により入力された火災信号等の防災情報信号に応じて感知器等の端末機器や警戒区域等に対応させたシンボルをカラー点灯又は点滅表示する。この防災表示装置には平面図等を拡大／縮小する機能が設けられている。
例えば、図１２に示す平面図表示領域１に建物内の平面図が表示されている状態で拡大を行う場合は拡大／縮小ボタン２の拡大側を選択する。拡大を選択することにより、平面図の一部が拡大表示される。例えば、図１３に示すようにＡ−１の部分が平面図表示領域１に拡大表示される。
この場合、見たい部分がＡ−１でなければスクロールボタン３を操作して所望の部分が現れるまで平面図を移動させる。
【０００３】
例えば、Ｂ−３の部分を見たければ、図１４に示すようにスクロールボタン３の「→」を操作してＡ−３まで移動させ、Ａ−３からは「↓」を操作してＢ−３まで移動させる。または、スクロールボタン３の「↓」を操作してＢ−１まで移動させ、Ｂ−１からは「→」を操作してＢ−３まで移動させる。
拡大後、縮小するときは拡大／縮小ボタン２の縮小側を選択する。このように平面図を拡大する場合、拡大／縮小ボタン２の拡大側を操作し、次いでスクロールボタン３を操作して所望の部分が現れるまで平面図を移動させる。
【０００４】
【発明が解決しようとする課題】
従来の防災表示装置にあっては、拡大時に平面図のどの部分を拡大表示しているのかが分かり難いという問題点があった。
また、拡大したい部分まで平面図を移動させる場合、スクロールボタン３を何度も操作しなければならないこともあり、操作が面倒であるという問題点もあった。
【０００５】
本発明は、このような問題点を解決するためになされたものであり、平面図のどの部分を中心にして拡大表示しているのかが容易に確認でき、また火災が発生した個所を容易に確認することができる防災表示装置を得ることを目的とする。
【０００６】
【課題を解決するための手段】
本発明に係る請求項１の防災表示装置は、建物に複数の警戒区域を監視する複数の火災感知器が設けられ、前記建物の平面並びに各種の防災表示を行う画像表示装置と、画像表示装置の画面上に設けられたグラフィックエリア及びキープラン表示部とを備えた防災表示装置において、キープラン表示部には建物の所定の階の平面図の全体を表示させ、グラフィックエリアにはキープラン表示部に表示させた当該階の平面図の全体または一部を拡大表示させると共に、該グラフィックエリアに拡大表示させた平面図の中心位置をキープラン表示部の平面図上に表示させる表示制御手段を備え、前記表示制御手段は、前記火災感知器が火災を感知したときに、前記グラフィックエリア及び前記キープラン表示部に火災階の平面図を表示させ、前記グラフィックエリアに前記火災を感知した火災感知器または前記火災を感知した火災感知器が監視する警戒区域で火災が感知したことを示すシンボルを中心に表示させると共に、前記キープラン表示部の前記シンボルの位置にシンボルを表示させ、また、前記表示制御手段は、前記グラフィックエリアに前記シンボルを中心に表示させているときに、火災階において前記グラフィックエリアの表示範囲外で別の火災感知器が火災を感知すると、前記グラフィックエリアに前記別の火災感知器がどの方向にあるかを示す矢印を表示させ、前記キープラン表示部に前記別の火災感知器または前記別の火災感知器が監視する警戒区域で火災を感知したことを示す別のシンボルを表示させるように制御し、さらに、前記表示制御手段は、前記グラフィックエリアに表示された矢印に対して入力操作すると、前記グラフィックエリアに前記別のシンボルを中心に表示させるように制御する。
【０００７】
本発明に係る請求項２の防災表示装置は、前記画像表示装置の画面上に直上階釦及び直下階釦を設け、前記表示制御手段が、前記グラフィックエリアに前記シンボルを中心に表示させているときに、前記直上階釦又は直下階釦を操作すると予め設定されている延焼危険順位の高い場所順に延焼危険性の有無を確認して、最も延焼危険性の高い場所を中心に火災階の直上階又は直下階を前記グラフィックエリアに表示させるように制御する。
【０００８】
本発明に係る請求項３の防災表示装置は、前記画像表示制御手段が、予め設定された前記延焼危険順位の最大設定数の前記延焼危険順位の高い場所全てに延焼危険性がないとき、前記シンボルの位置を中心に前記火災階の直上階又は直下階を前記グラフィックエリアに表示させるよう制御する。
【００１５】
【発明の実施の形態】
図１は本発明の実施の形態の防災表示装置の構成を示すブロック図、図２は同防災表示装置の画像表示装置の画面のレイアウトを示す説明図、図３〜図６は同防災表示装置の画像表示装置の各種表示例を説明する説明図、図７は同防災表示装置の直上階表示機能の動作を説明するフローチャート、図８〜図１１は同防災表示装置の画像表示装置の直上階表示例を説明する説明図である。
図１において、ＦＤ１〜ＦＤｎは建物Ｂに設けられ、所定の警戒区域を監視する複数のオン・オフ型又はアドレス付の火災感知器、ＳＤ１〜ＳＤｎは建物Ｂの例えば各階段口及びエスカレータ口に設けられた防火戸、ＥＳ１〜ＥＳｎは建物Ｂの例えば出入口付近の天井に設けられた排煙機である。
１０は防災受信機で、例えば火災感知器ＦＤ１〜ＦＤｎのいずれかからの火災信号を受けて、その火災感知器のある警戒区域付近の防火戸ＳＤや、その警戒区域付近の排煙機ＥＳを駆動させる信号と各種の火災表示指令を出力するものである。
【００１６】
２０は例えばＣＰＵ等で構成される表示制御部で、火災感知器ＦＤ1 〜ＦＤn の火災信号を受信した防災受信機１０が出力する各種の表示指令を取り込み、これら表示指令に基づく表示を画像表示装置であるＣＲＴ２１の画面上に行い、必要に応じて制御信号を例えばプリンタ２２等の周辺機器に出力する。２３は表示制御部２０に各種のデータ並びに指令を入力するための入力装置であるキーボード、２４はＣＲＴ２１上に表示される各種のシンボルの選択、表示指令釦等に使用されるもう１つの入力装置であるマウスである。なお、マウス２４の他にライトペン、タブレット又はトラックボール等のポインティング入力装置の使用も可能である。
【００１７】
図２はＣＲＴ２１の画面のレイアウトを示し、２１ａは画面中央部において、例えば建物Ｂの所望の階の平面図の一部又は全体を表示するグラフィックエリア、２１ｂは画面上部左側において例えば「本館２階の平面図」等のタイトル及び火災感知器が火災を感知したことを代表的に表示する火災代表を表示するタイトル表示部、２１ｃは画面上部真中側において例えば「ガイダンス」、「シンボル凡例」、「取り扱い」等を表示するメニューバー、２１ｄは画面上部右側において例えば「時刻」を表示する時計表示部、２１ｅは画面中央右側において例えば「メニュー」、「前ページ」、「拡大表示」、「縮小表示」等の操作ボタンを表示する操作表示部、２１ｆは画面下部左側において例えば「１２時４５分  火災感知器  発報  本館２階レストラン」等のイベントを表示するイベントリスト表示部である。
【００１８】
２１ｇは画面下部右側寄りにおいて例えば「システム状態  火災表示中」等を表示するシステムメッセージ表示部、２１ｈは画面下部右側において例えば本館２階の全体の平面図を表示するキープラン表示部である。キープラン表示部２１ｈ中のクロス点Ｘはグラフィックエリア２１ａで表示している範囲の中心点を示している。例えば火災が感知されていない時にグラフィックエリア２１ａに建物Ｂの本館２階を選択して表示させるようにすると、グラフィックエリア２１ａにはその表示範囲の左下に、表示させる本館２階の左下が位置するように本館２階の一部または全部が表示されるように設定されている。この設定位置を「デフォルト位置」という。２１ｉはグラフィックエリア２１ａに表示されている画面を縦方向にスクロールさせるスクロールバー、２１ｊはグラフィックエリア２１ａに表示されている画面を横方向にスクロールさせるスクロールバーである。
なお、キープラン表示部２１ｈでは表示している本館２階の全体平面図上では、グラフィックエリア２１ａに表示している本館２階の表示範囲の中心点に当たる位置にクロス点Ｘが生じるようにクロスバー（十字）表示が行われる。
【００１９】
また、例えば建物Ｂの本館２階で火災が発生した場合、本館２階に複数配置されている火災感知器のうち、火災を感知した火災感知器がアドレス付火災感知器であればその火災感知器の火災感知器シンボルをグラフィックエリア２１ａの中心点に配置して、または火災を感知した火災感知器がアドレスを持たないオン・オフ型の火災感知器であればその火災感知器が警戒する警戒地区内で火災の発生を表示する火災シンボルをグラフィックエリア２１ａの中心点に配置して、グラフィックエリア２１ａに本館２階の一部または全体を表示すると共に、キープラン表示部２１ｈには本館２階の全体平面図が表示され、クロス点Ｘが火災を感知したアドレス付火災感知器の火災感知器シンボル、またはオン・オフ型火災感知器が警戒する警戒区域の火災シンボルの表示位置になるようにクロスバー表示がされる。
【００２０】
なお、ＣＲＴ２１の画面において、グラフィックエリア２１ａとキープラン表示部２１ｈとの大きさ（面積）の比率は例えば６４：１であり、キープラン表示部２１ｈに建物Ｂの全体が表示されるとすると、グラフィックエリア２１ａに建物Ｂの平面図の一部又は全体が表示される。そして、例えばグラフィックエリア２１ａに表示される建物Ｂの平面図の一部が表示される画像の大きさは標準でキープラン表示部２１ｈに表示された建物Ｂ全体の大きさに対して例えば２５６倍に拡大した大きさであり、拡大表示では標準表示の４倍に拡大した大きさ、縮小表示では標準表示の１／４倍に縮小された大きさとなる。この場合、縮小表示でキープラン表示部２１ｈの表示の６４倍となり、建物Ｂの平面図全体が表示される。なお、建物Ｂの大きさに応じて標準表示の大きさも種々に変化する。また、拡大表示又は縮小表示は数段階に拡大又は縮小できるようにしてもよい。さらに、拡大又は縮小の比率は建物の大きさに応じて適宜設定又は選択するようにしてもよい。なお、縮小表示は建物Ｂの平面図全体が表示されるまで縮小されると、それ以上の縮小は行われないため、建物の大きさによっては標準表示から縮小表示への縮小比率は規則正しくならない場合もある。
【００２１】
次に、本発明の実施の形態の防災表示装置の動作を説明する。
まず、電源投入のイニシャル時はＣＲＴ２１のグラフィックエリア２１ａの画面上に「イニシャル中」の表示がされ、背景は黒で「イニシャル中」の文字でスクリーンセイバーが行われる。
次に、イニシャル終了後の平常監視中は、ＣＲＴ２１のグラフィックエリア２１ａの画面上に「平常監視中」の表示がされ、背景は黒で「平常監視中」の文字でスクリーンセイバーが行われる。
そして、スクリーンセイバーが行われている平常監視中に、マウス２４でＣＲＴ２１のグラフィックエリア２１ａの画面上のどこかをクリックすると、メニュー１画面（図示せず）が表示される。このメニュー１画面には建物Ｂの各階の警戒区域を表す各階警戒区域選択メニューが表示される。
【００２２】
そこで、建物Ｂで表示したい階の警戒区域が例えば２階の２−Ｂの警戒区域と２−Ｅの警戒区域にはさまれた廊下であれば、メニュー１画面上の該当する２階の廊下を警戒区域とするエリアをクリックすると、図３に示すようにその２階の廊下を中心とした建物Ｂの一部の平面図が標準画面として表示される。このとき、ＣＲＴ２１のキープラン表示部２１ｈには建物Ｂの２階の全体の平面図が表示され、キープラン表示部２１ｈ上のクロス点Ｘはグラフィックエリア２１ａで表示している範囲の中心点を示す。この表示は所定時間後に、「平常監視中」の表示に切り替わる。
以上は建物Ｂの平面図を表示した場合であるが、断面図又は系統図を表示したい場合は断面図又は系統図、例えば火災階や火災箇所を代表的に表示させる火災断面図、排煙系統図、消火ポンプを選択するためのメニュー画面が表示され、平面図と同様に表示したい画面を選択すればよい。
【００２３】
この状態で、例えば建物Ｂの２階の２−Ｂの警戒区域で火災が発生し、その警戒区域のオン・オフ型火災感知器ＦＤが火災を感知すると、その火災感知器ＦＤの火災信号を防災受信機１０に出力し、防災受信機１０ではその火災感知器ＦＤの火災信号から何階のどの警戒区域に火災が発生したか分かる。
そこで、防災受信機１０は何階のどの警戒区域の火災感知器ＦＤが火災を発報したかを示す火災表示指令を表示制御部２０に出力する。
そうすると、表示制御部２０では、今まで図３に示すようにグラフィックエリア２１ａに表示されている建物Ｂの２階の平面図をデフォルト位置で表示する表示画面または「平常監視中」の表示画面或いは系統図の表示画面から、防災受信機１０からの火災表示指令に基づき図４に示すように２階の２−Ｂの警戒区域の火災シンボルＳをグラフィックエリア２１ａの中心点（真ん中）にしたその周辺の表示に切り替える。
【００２４】
このとき、グラフィックエリア２１ａ及びキープラン表示部２１ｈの火災発生箇所では、火災シンボルＳが白抜き表示から赤色点滅表示に切り替わると共に、タイトル表示部２１ｂ内の火災代表表示を行う箇所で火災シンボルＳ（図示せず）が赤色点滅表示する。さらに、ＣＲＴ２１のキープラン表示部２１ｈでは赤色点滅表示する火災シンボルＳ上にクロス点Ｘが生じるようにクロスバーが表示される。
従って、ＣＲＴ２１のグラフィックエリア２１ａとキープラン表示部２１ｈに赤色表示されている火災シンボルＳ及びクロス点Ｘを見ることにより、何階のどの警戒区域で火災が発生したのか、または何階のどの辺で火災が発生したかを的確に確認できる。
【００２５】
なお、火災を感知したオン・オフ型火災感知器ＦＤが設置されている警戒区域が建物の窓際にあるとき、例えば２−Ｄの警戒区域であるときには、火災シンボルＳをグラフィックエリア２１ａの中心点にして表示することを解除し、図３（火災シンボルＳは表示していない）に示すようにＣＲＴ画面上に無意味な無表示エリアが生じないように建物の縁がグラフィックエリア２１ａの端にくるようにして平面図を表示する。
このとき、キープラン表示部２１ｈで表示されるクロス点Ｘは火災を感知したオン・オフ型火災感知器ＦＤが設置されている警戒区域の火災シンボルＳの位置ではなく、そのときのグラフィックエリア２１ａの表示範囲の中心点（真ん中）になる。
【００２６】
なお、ＣＲＴ２１の操作表示部２１ｅの拡大表示釦をマウス２４でクリックすると、ＣＲＴ２１のグラフィックエリア２１ａの中心点を中心にして標準画面より所定比率で拡大する。
このとき、グラフィックエリア２１ａの中心点に火災を感知したオン・オフ型火災感知器ＦＤが設置されている警戒区域の火災シンボルＳが表示されていれば、その火災シンボルＳを中心に拡大表示する。
また、拡大表示釦をさらにクリックすると、クリックした回数分所定比率で拡大表示し、予め設定された拡大画面までに達するとクリックしてもそれ以上の拡大表示は行われない。
【００２７】
このようにして、操作表示部２１ｅの拡大表示釦をマウス２４でクリックすることにより、ＣＲＴ２１のグラフィックエリア２１ａに表示されている火災シンボルＳを中心に標準画面より拡大されるから、何階のどの場所で火災が発生したかをより的確に確認できることとなった。
また、操作表示部２１ｅの縮小表示釦をマウス２４でクリックすると、所定の縮尺で標準画面より縮小する。
なお、縮小表示釦をさらにクリックすると、クリックした回数分所定の比率で縮小表示していくが、グラフィックエリア２１ａに平面図全体が表示されるとクリックしてもそれ以上の縮小表示は行われない。
【００２８】
次ぎに、ＣＲＴ２１のグラフィックエリア２１ａに表示されている建物Ｂの一部の範囲外の別の火災感知器、例えばオン・オフ型火災感知器ＦＤが発報した場合には、例えば建物Ｂの２階の２−Ａと２−Ｄの警戒区域で火災が発生し、その警戒区域のオン・オフ型火災感知器ＦＤがそれぞれ火災を感知すると、これらの火災感知器ＦＤの火災信号が防災受信機１０に伝送され、防災受信機１０ではこれらの火災感知器ＦＤの火災信号から何階のどの警戒区域に火災が発生したか分かる。
そこで、防災受信機１０は火災階のどの警戒区域とどの警戒区域の火災感知器ＦＤが火災を発報したかを示す第２、第３の火災表示指令を表示制御部２０に出力する。
【００２９】
このように、例えば２階の２−Ａと２−Ｄで火災が発生した場合には、表示制御部２０では、防災受信機１０からの第２、第３の火災表示指令に基づき、図５に示すようにＣＲＴ２１のキープラン表示部２１ｈに２つの火災シンボルＳを点滅させると同時に、ＣＲＴ２１のグラフィックエリア２１ａに表示されている建物Ｂの２階の２−Ｂの警戒区域で火災シンボルＳが赤色点滅表示されている平面図の画面中にどの方向で別の火災感知器ＦＤが発報しているかを示す２つの矢印Ａを点滅させる。なお、これらの矢印Ａは２−Ｂの警戒区域の赤色点滅表示している火災シンボルＳを基準に上下左右及びその斜めの８方向で表示される。
このように、グラフィックエリア２１ａに表示されている矢印Ａを見ることにより、グラフィックエリア２１ａの映出されている画面からグラフィックエリア２１ａ外のどの方向で火災が発生しているのかを明確に知ることができるため、緊急事態発生時においても、容易かつ迅速に対処することが可能となる。
【００３０】
また、操作者がＣＲＴ２１のグラフィックエリア２１ａに表示された矢印Ａをマウスを操作してクリックするか、或いはキープラン表示部２１ｈに表示された点滅表示している火災シンボルＳをクリックすると、図６に示すようにマウス２４でクリックした矢印Ａ方向にある火災シンボルＳ或いはキープラン表示部２１ｈ上の火災シンボルＳをグラフィックエリア２１ａ内に表示する平面図に切り替わって表示される。なお、このとき矢印Ａ方向にある火災シンボルＳが建物Ｂの端から離れた位置にあれば上述したようにグラフィックエリア２１ａ外にあった火災シンボルＳがグラフィックエリア２１ａの真ん中に表示されることになる。
【００３１】
また、仮に以前に表示していた２−Ｂの警戒区域で赤色点滅表示していた火災シンボルＳがグラフィックエリア２１ａの表示範囲外となった場合にはグラフィックエリア２１ａの８方向のうち、そのときのグラフィックエリア２１ａの真ん中を基準にしてその火災シンボルＳの存在する方向例えば右上方向に矢印Ａが表示される。このように、ＣＲＴ２１のグラフィックエリア２１ａの映出範囲外で第２報、第３報が発生した場合においても、そのグラフィックエリア２１ａの矢印Ａ又はキープラン表示部２１ｈの点滅表示している火災シンボルＳをクリックすることにより、火災を感知した別の警戒区域をグラフィックエリア２１ａに表示されるため、どの警戒区域で第２報、第３報が発生したのかを容易に確認することができる。
【００３２】
さらに別のところで火災が発生すれば前述と同様に図６に示す画面において、キープラン表示部２１ｈに火災シンボルＳを点滅させると同時に、ＣＲＴ２１のグラフィックエリア２１ａの平面図の画面中にどの方向で第４報の火災感知器ＦＤが発報しているかを示す矢印Ａを点滅させる。
従って、第１報、以降次々と第２報、第３報目、第４報目の火災シンボルＳを確認することができる。
また、第２報、第３報目、第４報目の火災シンボルＳを確認するために、スクロールバー２１ｉ、２１ｊを操作してスクロールを行い、第２報、第３報目の火災シンボルを表示させることもできる。
なお、グラフィックエリア２１ａの映出範囲外の第２報以降の表示を矢印Ａをクリックすることによって、その表示している階において火災を感知した全ての警戒区域をグラフィックエリア２１ａの表示縮尺を変更して表示させるようにしてもよい。
【００３３】
次に、本発明の実施の形態の防災表示装置の直上階を表示させる動作をアドレス付火災感知器を用いて図７のフローチャートに基づいて説明する。
まず、例えばある階の廊下で火災が発生し、その廊下のアドレス付火災感知器ＦＤが火災信号の第１報を防災受信機１０に出力する（ステップＳ１）。
防災受信機１０ではその火災感知器ＦＤの火災信号が有するアドレス番号からどこで（何階の廊下で）火災が発生したか分かり、何階の廊下のアドレス付火災感知器ＦＤが火災を発報したかを示す火災表示指令を表示制御部２０に出力する。
そして、表示制御部２０はＣＲＴ２１のキープラン表示部２１ｈに火災階の廊下の火災を感知したアドレス付火災感知器ＦＤの火災感知器シンボルＦＳを赤色点滅表示させると同時に、ＣＲＴ２１のグラフィックエリア２１ａにその廊下の火災を感知したアドレス付火災感知器ＦＤの火災感知器シンボルＦＳ位置を中心にその周辺を自動映出している。
このような自動映出をしている場合に、ＣＲＴ２１の操作表示部２１ｅの直上階釦をマウス２４を操作してクリックする（ステップＳ２）。
【００３４】
そうすると、表示制御部２０はマウス２４のクリックによる直上階表示領域指定指令に基づいて火災信号の第１報目の火災感知器ＦＤのアドレス番号から直上階における延焼危険順位が予め設定されている場所を表示制御部２０のメモリから読み出す（ステップＳ３）。
なお、この延焼危険順位は例えば２階に設置したアドレス付火災感知器ＦＤのアドレス番号が２０２の場合、３階（直上階）へ煙、熱等が拡がる危険度の高い順に、第１はエスカレータ（ｎ＝１）、第２は内階段１（ｎ＝２）、第３は外階段２（ｎ＝３）というように予め設定されていて、その場所がデータベースとして表示制御部２０のメモリに記憶されている。
そして、延焼危険順位を第１位（ｎ＝１）に設定し（ステップＳ４）、その延焼危険順位第１位のデータ（エスカレータ）を読み出し、その第１位の場所であるエスカレータ周辺の防排煙機器（例えば、防火戸ＳＤ、排煙機ＥＳ等をいう）が作動しているかどうかを判定する（ステップＳ５）。そして、その防排煙機器が作動していない場合には直上階においてエスカレータを中心にその周辺をＣＲＴ２１のグラフィックエリア２１ａに表示させる（ステップＳ６）。
【００３５】
従って、ＣＲＴ２１のグラフィックエリア２１ａに表示された直上階の延焼危険性の高い場所を見て直上階の避難のための連絡又は誘導を速やかに行うことができる。
また、その防排煙機器が作動している場合には延焼危険順位を１つ下げて第２位とし（ステップＳ７）、その第２位の順位ｎが延焼危険順位の最大設定数Ａを越えているかどうか［ｎ≧Ａ＋１］を判定する（ステップＳ８）。その第２位の順位ｎが延焼危険順位の最大設定数Ａを越えていない場合はステップＳ５に戻り、その延焼危険順位第２位（内階段１）のデータを読み出し、その第２位の場所周辺の防排煙機器が作動しているかどうかを判定し（ステップＳ５）、その防排煙機器が作動していない場合には図９に示すように直上階における内階段１を中心にその周辺をＣＲＴ２１のグラフィックエリア２１ａに表示させる（ステップＳ６）。
【００３６】
また、その防排煙機器が作動している場合には延焼危険順位が第３位の外階段２で上述のようなステップを行う。このような手順が延焼危険順位の最大設定数Ａが越えるまでなされ、最後の順位が延焼危険順位の最大設定数Ａを越えている場合には図１０に示すように火災階（出火階）の火災信号の第１報目の火災感知器位置と同じ位置を中心に直上階をＣＲＴ２１のグラフィックエリア２１ａに表示させる（ステップＳ９）。
このように、延焼危険順位のｎ番目の場所周辺の防排煙機器が作動している場合、その場所から煙、熱等が拡がる危険性が低くなるため、次の危険順位の場所で危険性を考えるようにしたものである。
【００３７】
また、ＣＲＴ２１の操作表示部２１ｅに延焼危険順位ｎ番目の場所を中心にした直上階がＣＲＴ２１のグラフィックエリア２１ａに表示された後に、火災階の出火状態がどうなっているかを見たい場合に、操作表示部２１ｅの直下階釦をマウスを操作してクリックすると、表示制御部２０はマウス２４のクリックによる直下階表示領域指定指令に基づいてグラフィックエリア２１ａに先ほど表示していた火災階の廊下を中心にした表示に戻す。従って、火災階の出火状態を知ることができる。
また、操作表示部２１ｅの直下階釦へのクリックによる入力がされて直下階の表示がされた後に、火災階の出火状態が見たい場合に直上階釦へのクリックによる入力が行われるとグラフィックエリア２１ａの画面が火災階の表示に戻る。
【００３８】
さらに、グラフィックエリア２１ａの画面に操作表示部２１ｅの直上階釦へのクリックが行われて直上階の延焼危険順位ｎ番目の場所を中心に表示されている場合に、そのグラフィックエリア２１ａの画面の表示範囲外で火災が発生したときは、火災が発生した箇所の火災感知器がある場所が優先して表示される。
なお、上述した説明は、ＣＲＴ２１のグラフィックエリア２１ａの画面に出火階が表示されている最中に操作表示部２１ｅの直上階釦をクリックした場合であるが、操作表示部２１ｅの直下階釦をクリックした場合は直下の延焼危険順位ｎ番目の場所が表示されることはいうまでもない。このように操作表示部２１ｅの直下階釦がクリックされる場合としては、例えば１階が火災階で地下階があるときである。
なお、グラフィックエリア２１ａの表示範囲外で火災が発生した場合、延焼危険順位に基づいて表示された直上階または直下階の表示はそのまま変更せずに、グラフィックエリア２１ａの表示範囲外での火災発生方向に前述のような矢印Ａをグラフィックエリア２１ａに表示するようにしてもよい。
【００３９】
また、操作表示部２１ｅの直下階釦へのクリックが行われた後に出火階の出火状態がどうなっているかを見たい場合、直上階釦をクリックすると、グラフィックエリア２１ａの画面表示が出火階に切り替わる。
なお、上述の実施の形態において、図３〜図６の説明では火災感知器ＦＤとしてオン・オフ型火災感知器を用い、図７〜図１１の説明ではアドレス付火災感知器を用いて説明したが、これを限定されるものではなく、オン・オフ型火災感知器の代わりにアドレス付火災感知器、アドレス付火災感知器の代わりにオン・オフ型火災感知器としてもよい。この場合、オン・オフ型火災感知器が火災を感知した場合にはオン・オフ型火災感知器が設置されている警戒区域の火災シンボルがグラフィックエリアの真ん中（中心点）に表示され、アドレス付火災感知器が火災を感知した場合にはその火災感知器を表す火災感知器シンボルがグラフィックエリアの真ん中に表示される。
【００４０】
なお、グラフィックエリアの真ん中に表示する場所は火災シンボルまたは火災感知器シンボルの位置に限定されず、火災が感知されている時、感知されていない時に関わらず、キープラン表示部に表示されている全体平面図上においてマウスでクリックした場所としてもよい。この場合、クリックした場所がキープラン表示部でクロス点Ｘが表示される場所となる。
また、火災表示はグラフィックエリアの火災シンボルまたは火災感知器シンボルの赤色点滅表示で説明したが、点灯表示でもよい。さらに、火災表示は、火災シンボルまたは火災感知器シンボルの他に、タイトル表示部の火災代表表示の火災シンボル、または火災感知器が設置されている警戒区域の外周を火災シンボルまたは火災感知器シンボルと同じような表示方法で表示してもよい。
また、本発明の実施の形態では防災受信機と、表示制御部、ＣＲＴ、マウス等のセットとを１対１として説明したが、ＬＡＮを介して防災受信機に複数の表示制御部、ＣＲＴ、マウス等のセットを接続してもよい。
【００４１】
【発明の効果】
以上のように本発明に係る請求項１によれば、建物に複数の警戒区域を監視する複数の火災感知器が設けられ、表示制御手段がキープラン表示部には建物の所定の階の平面図の全体を表示させ、グラフィックエリアにはキープラン表示部に表示させた当該階の平面図の全体または一部を拡大表示させると共に、グラフィックエリアに拡大表示させた平面図の中心位置をキープラン表示部の平面上に表示させ、また、火災感知器が火災を感知したときに、表示制御手段はグラフィックエリア及びキープラン表示部に火災階の平面図を表示させると共に、グラフィックエリアに火災を感知した火災感知器または火災を感知した火災感知器が監視する警戒区域で火災が感知したことを示すシンボルを中心に表示させると共に、キープラン表示部の火災を感知した火災感知器または火災を感知した火災感知器が監視する警戒区域で火災が感知したことを示すシンボルの位置にシンボルを表示させ、さらに、表示制御手段はグラフィックエリアにシンボルを中心に表示させているときに、火災階において当該火災感知器が監視する警戒区域外で別の火災感知器が火災を感知すると、グラフィックエリアに別の火災感知器がどの方向にあるかを示す矢印を表示させ、キープラン表示部に別の火災感知器または別の火災感知器が監視する警戒区域で火災を感知したことを示す別のシンボルを表示させるので、そのグラフィックエリアの矢印またはキープラン表示部の別のシンボルを見ることにより、どの方向で別の火災が発生しているのかを明確に知ることができるため、緊急事態発生時においても、容易且つ迅速に対処することが可能となるという効果を有する。
また、表示制御手段はグラフィックエリアに表示された矢印に対して入力操作すると、グラフィックエリアに別のシンボルを中心に表示させるので、第１報以降の火災感知器の発報がどの場所で発生したかを容易に確認することができるという効果を有する。
【００４２】
本発明に係る請求項２によれば、画像表示装置の画面上に直上階釦及び直下階釦を設け、表示制御手段が、グラフィックエリアにシンボルを中心に表示させているときに、直上階釦又は直下階釦を操作すると予め設定されている延焼危険順位の高い場所順に延焼危険性の有無を確認して、最も延焼危険性の高い場所を中心に火災階の直上階又は直下階をグラフィックエリアに表示させるので、グラフィックエリアに表示された直上階又は直下階の延焼危険性の高い場所を見て直上階または直下階の避難のための連絡を速やかに行うことができるという効果を有する。
【００４３】
本発明に係る請求項３によれば、画像表示制御手段が、予め設定された延焼危険順位の最大設定数の延焼危険順位の高い場所全てに延焼危険性がないとき、シンボルの位置を中心に火災階の直上階又は直下階をグラフィックエリアに表示させるので、グラフィックエリアに表示された直上階又は直下階を見て直上階又は直下階の避難のための連絡を速やかに行うことができるという効果を有する。
【図面の簡単な説明】
【図１】本発明の実施の形態１の防災表示装置の構成を示すブロック図である。
【図２】同防災表示装置の画像表示装置の画面のレイアウトを示す説明図である。
【図３】同防災表示装置の画像表示装置の各種表示例を説明する説明図である。
【図４】同防災表示装置の画像表示装置の各種表示例を説明する説明図である。
【図５】同防災表示装置の画像表示装置の各種表示例を説明する説明図である。
【図６】同防災表示装置の画像表示装置の各種表示例を説明する説明図である。
【図７】同防災表示装置の直上階表示機能の動作を説明するフローチャートである。
【図８】同防災表示装置の画像表示装置の直上階表示例を説明する説明図である。
【図９】同防災表示装置の画像表示装置の直上階表示例を説明する説明図である。
【図１０】同防災表示装置の画像表示装置の直上階表示例を説明する説明図である。
【図１１】同防災表示装置の画像表示装置の直上階表示例を説明する説明図である。
【図１２】従来の防災表示装置の表示例を示す説明図である。
【図１３】従来の防災表示装置の表示例を示す説明図である。
【図１４】従来の防災表示装置の問題点を説明するための説明図である。
【符号の説明】
１０    防災受信機
２０    表示制御手段
２１ａ  グラフィックエリア
２１ｈ  キープラン表示部
２４    マウス（入力手段）
Ｂ    建物
ＦＤ    火災感知器
【図１】
0003735798.tif 000002
【図２】
0003735798.tif 000003
【図３】
0003735798.tif 000004
【図４】
0003735798.tif 000005
【図５】
0003735798.tif 000006
【図６】
0003735798.tif 000007
【図７】
0003735798.tif 000008
【図８】
0003735798.tif 000009
【図９】
0003735798.tif 000010
【図１０】
0003735798.tif 000011
【図１１】
0003735798.tif 000012
【図１２】
0003735798.tif 000013
【図１３】
0003735798.tif 000014
【図１４】
0003735798.tif 000015